(57)【要約】【課題】電装ユニットの取り付けに係る作業性の向上を図ると共に錠ケースの大型化を防止する電気錠システムを提供する。【解決手段】  本発明の電気錠システム１は、扉２の木口２ａから扉２に内設され、電動アクチュエータ１６によって木口２ａ側でデッドボルト１５を進退させるボルト機構１１を内包する錠ケース１０と、扉２の室外側壁面２ｃ側から室内側壁面２ｂ側に向けて錠ケース１０に挿設され、ボルト機構１１を動作させて施解錠を行うシリンダユニット５と、シリンダユニット５の室内側壁面２ｂ側に配設される第１基板側コネクタ５０と、第１基板側コネクタ５０に電気的に接続される室内側コネクタ２５を有し、扉２の室内側壁面２ｂ側に取り付けられる電装ユニット４と、を備えている。【選択図】図２
2015183416.tif 000002
【特許請求の範囲】
【請求項１】
扉の木口から前記扉に内設され、電気的な駆動源によって前記木口側でデッドボルトを進退させるボルト機構を内包する錠ケースと、
前記扉の一方の壁面側から他方の壁面側に向けて前記錠ケースに挿設され、前記ボルト機構を動作させて施解錠を行うシリンダユニットと、
前記シリンダユニットの前記他方の壁面側に配設される第１のコネクタと、
前記第１のコネクタに電気的に接続される第１の相手側コネクタを有し、前記扉の他方の壁面側に取り付けられる電装ユニットと、を備えていることを特徴とする電気錠システム。
【請求項２】
前記シリンダユニットは、
前記一方の壁面側に配設されるシリンダ側電装部材と、
前記シリンダ側電装部材に対する操作に基づいて前記ボルト機構を動作させる電子回路基板と、を有し、
前記第１のコネクタは、前記錠ケースに挿設される前記電子回路基板に実装されていることを特徴とする請求項１に記載の電気錠システム。
【請求項３】
前記シリンダユニットは、
前記一方の壁面側に配設されるシリンダ側電装部材と、
前記シリンダ側電装部材に対する操作に基づいて前記ボルト機構を動作させる電子回路基板と、
前記電子回路基板に電気的に接続され、前記錠ケースに挿設されるケーブルと、を有し、
前記第１のコネクタは、前記ケーブルの先端部に接続されてケーブルハーネスを構成することを特徴とする請求項１に記載の電気錠システム。
【請求項４】
前記ボルト機構は、前記駆動源として電動アクチュエータを有し、
前記電装ユニットは、前記電動アクチュエータに電力を供給する電源装置を有し、
前記シリンダユニットは、前記錠ケースに挿設された状態で前記錠ケース内に位置する第２のコネクタを支持し、
前記第２のコネクタは、前記電動アクチュエータに導通する第２の相手側コネクタに電気的に接続することを特徴とする請求項１ないし３のいずれかに記載の電気錠システム。
【請求項５】
前記シリンダユニットまたは前記電装ユニットは、前記駆動源として電動アクチュエータを有し、
前記電装ユニットは、前記電動アクチュエータに電力を供給する電源装置を有していることを特徴とする請求項１ないし３のいずれかに記載の電気錠システム。
【発明の詳細な説明】
【技術分野】
【０００１】
本発明は、扉の木口側からデッドボルトを電気的に進退駆動させて施解錠を行う電気錠システムに関する。
【背景技術】
【０００２】
近年、セキュリティや操作性の向上を目的として、建物の扉には、ＩＣカード等をリーダにかざして電気的に施解錠を行う電気錠が用いられている。
【０００３】
従来の電気錠（電気錠システム）は、扉の吊元に設置される通電金具から延びる電線に接続されて電力の供給を受ける。従来の電気錠システムの結線作業（電気的な接続作業）は、以下のようにして行われる。まず、作業者は、扉の内部に配設される電線を扉の外部に引き出し、引き出した電線と錠ケースから延びる信号線とを接続する。その後、作業者は、余剰の電線および信号線を扉の内部に戻しつつ、錠ケースを木口から扉内に取り付ける。作業者は、余剰の電線等を傷つけないように扉内に押し込まなければならず、錠ケースの取付作業を簡単且つ迅速に行うことができなかった。また、従来の電気錠システムは、電線と信号線との接続部分が扉の内部に収容されるため、施工後に結線状態の点検等のメンテナンスを行うことが困難であった。
【０００４】
そこで、結線作業および結線状態の点検作業を容易に行うための電気錠（電気錠システム）が提案されている。例えば、特許文献１には、錠ケース本体の上部にボックス状の電線収納部を一体形成した電気錠が開示されている。扉の吊元側から扉内を通る電線と、錠ケース本体から延びる信号線とは、電線収納部の内部を通って外部に引き出される。引き出された電線と信号線とは、互いに接続された後に、電線収納部の内部に収容される。これにより、作業者は、電線収納部内の電線と信号線との結線状態を容易に点検することができる。
【先行技術文献】
【特許文献】
【０００５】
【特許文献１】特開平１１−１５９２０９号公報
【発明の概要】
【発明が解決しようとする課題】
【０００６】
一般的に、電線および信号線は、外部に引き出して行う接続時の作業性を考慮して、余裕を持った長さに形成される。したがって、上記した特許文献１に係る電気錠では、接続後に余剰となる電線等が長い場合、余剰の電線等を電線収納部内に押し込む作業が困難になる虞があった。つまり、余剰の電線等は、作業性を悪化させる原因となっていた。また、電線収納部は、余剰の電線等を収容するための容積を確保する必要があった。このため、電線収納部の大型化という問題があった。
【０００７】
さらに、上記した特許文献１に係る電気錠は、錠ケース本体と電線収納部とが一体形成されているため、既存の機械式の錠ケースよりも大きくなる。したがって、既存の機械式の錠ケースを電気錠に交換する場合、扉の加工を行う必要があった。このため、既存の扉に電気錠システムを適用することが困難であった。
【０００８】
本発明は、上記した課題を解決すべくなされたものであり、電装ユニットの取り付けに係る作業性の向上を図ると共に錠ケースの大型化を防止する電気錠システムを提供することを目的とする。
【課題を解決するための手段】
【０００９】
上記した目的を達成するため、本発明の電気錠システムは、扉の木口から前記扉に内設され、電気的な駆動源によって前記木口側でデッドボルトを進退させるボルト機構を内包する錠ケースと、前記扉の一方の壁面側から他方の壁面側に向けて前記錠ケースに挿設され、前記ボルト機構を動作させて施解錠を行うシリンダユニットと、前記シリンダユニットの前記他方の壁面側に配設される第１のコネクタと、前記第１のコネクタに電気的に接続される第１の相手側コネクタを有し、前記扉の他方の壁面側に取り付けられる電装ユニットと、を備えていることを特徴とする。
【００１０】
この構成によれば、シリンダユニットは、他方の壁面側となる電装ユニット側に向かって錠ケースに挿設されている。この状態で、シリンダユニットに設けられる第１のコネクタは、電装ユニット側に位置している。このため、第１のコネクタを他方の壁面から外部に引き出す必要がない、または、引き出すとしても引き出し量を小さくすることができる。これにより、作業者は、第１のコネクタを電装ユニットに設けられる第１の相手側コネクタに容易に接続することができる。
【００１１】
また、例えば、第１の相手側コネクタがケーブルの先端部に接続されている場合、第１のコネクタが他方の壁面側に位置しているため、当該ケーブルの長さを最小限に抑えることができる。これにより、余剰となるケーブルを削減することができ、余剰のケーブルを扉内や電装ユニット内に押し込む作業を省略することができる。つまり、電装ユニットの取り付けに係る作業性を向上させることができる。さらに、余剰のケーブルの収容スペースを確保する必要がないため、錠ケースの大型化を防止することができる。したがって、扉に加工を行うことなく、既存の機械式の錠ケースを電気錠システムに対応した錠ケースに交換することができる。これにより、既存の扉に対し、簡単且つ安価に電気錠システムを構築することができる。
【００１２】
この場合、前記シリンダユニットは、前記一方の壁面側に配設されるシリンダ側電装部材と、前記シリンダ側電装部材に対する操作に基づいて前記ボルト機構を動作させる電子回路基板と、を有し、前記第１のコネクタは、前記錠ケースに挿設される前記電子回路基板に実装されていることが好ましい。
【００１３】
この構成によれば、第１のコネクタは電子回路基板上に実装されているため、結線作業（電気的な接続作業）において第１のコネクタを扉外に引き出す工程および押し込む工程を省略することができる。また、第１のコネクタを電子回路基板上に実装することでシリンダユニットをコンパクトに構成することができる。
【００１４】
この場合、前記シリンダユニットは、前記一方の壁面側に配設されるシリンダ側電装部材と、前記シリンダ側電装部材に対する操作に基づいて前記ボルト機構を動作させる電子回路基板と、前記電子回路基板に電気的に接続され、前記錠ケースに挿設されるケーブルと、を有し、前記第１のコネクタは、前記ケーブルの先端部に接続されてケーブルハーネスを構成することが好ましい。
【００１５】
この構成によれば、第１のコネクタが他方の壁面側に位置しているため、第１のコネクタ（ケーブルハーネス）の引き出し量を小さくすることができる。つまり、ケーブルの長さを最小限に抑えることができ、結線後に余剰となるケーブルを削減することができる。これにより、余剰のケーブルを錠ケース（扉）や電装ユニットの内部に押し込む作業を省略することができる。
【００１６】
この場合、前記ボルト機構は、前記駆動源として電動アクチュエータを有し、前記電装ユニットは、前記電動アクチュエータに電力を供給する電源装置を有し、前記シリンダユニットは、前記錠ケースに挿設された状態で前記錠ケース内に位置する第２のコネクタを支持し、前記第２のコネクタは、前記電動アクチュエータに導通する第２の相手側コネクタに電気的に接続することが好ましい。
【００１７】
この構成によれば、シリンダユニットおよび電装ユニットを電動アクチュエータを除く簡素な構成にすることができる。
【００１８】
この場合、前記シリンダユニットまたは前記電装ユニットは、前記駆動源として電動アクチュエータを有し、前記電装ユニットは、前記電動アクチュエータに電力を供給する電源装置を有していることが好ましい。
【００１９】
この構成によれば、電気錠システムに対応した錠ケースは、既存の機械式の錠ケースを構成する部品を多数流用することができる。これにより、安価に電気錠システムを構築することができる。
【発明の効果】
【００２０】
本発明によれば、電装ユニットの取り付けに係る作業性の向上を図ることができる。また、錠ケースの大型化を防止し、既存の扉に対して容易に電気錠システムを構築することができる。
【図面の簡単な説明】
【００２１】
【図１】本発明の第１実施形態に係る電気錠システムを模式的に示す分解斜視図である。
【図２】本発明の第１実施形態に係る電気錠システムを模式的に示す側面図である。
【図３】本発明の第１実施形態に係る電気錠システムのシリンダユニットおよびシリンダ取付装置を模式的に示す背面図であって、取付作業前の状態を示している。
【図４】本発明の第１実施形態に係る電気錠システムのシリンダユニットおよびシリンダ取付装置を模式的に示す背面図であって、取付作業が完了した状態を示している。
【図５】本発明の第２実施形態に係る電気錠システムを模式的に示す側面図である。
【図６】本発明の第２実施形態の変形例に係る電気錠システムを模式的に示す側面図である。
【図７】本発明の第３実施形態に係る電気錠システムを模式的に示す側面図である。
【図８】本発明の各実施形態の変形例に係る電気錠システムを模式的に示す側面図である。
【発明を実施するための形態】
【００２２】
以下、本発明の実施の形態について、添付した図面を参照しながら説明する。
【００２３】
（第１実施形態）
図１ないし図３を参照して、第１実施形態に係る電気錠システム１について説明する。ここで、図１は電気錠システム１を模式的に示す分解斜視図である。図２は電気錠システム１を模式的に示す側面図である。図３は電気錠システム１のシリンダユニット５およびシリンダ取付装置６を模式的に示す背面図（取付作業前）である。なお、以下の説明では、便宜上、図１および図２において、室外側である右側を正面（前）とし、室内側である左側を背面（後）とする。
【００２４】
図１および図２に示すように、電気錠システム１は、電気的な駆動源によって扉２の木口２ａ側でデッドボルト１５を進退させて施解錠を行うものである。電気錠システム１は、電気錠３と、電装ユニット４と、シリンダユニット５と、シリンダ取付装置６と、を備えている。
【００２５】
電気錠３は、電装ユニット４とシリンダユニット５の外部との間に挟まれるように扉２の木口２ａから扉２の内部に設けられている。電気錠３は、木口２ａから扉２内に挿入される錠ケース１０と、錠ケース１０に内設されるボルト機構１１と、を含んで構成されている。
【００２６】
錠ケース１０は、取付板１２を介して扉２内に固定されている。錠ケース１０の上部には、シリンダユニット５を取り付けるためのシリンダ取付開口１３が厚み方向に貫通形成されている。シリンダ取付開口１３は、シリンダユニット５が嵌合するように略円形状に形成されている。また、錠ケース１０の下部には、室内側レバーハンドル７および室外側レバーハンドル８を取り付けるためのハンドル取付開口１４が厚み方向に貫通形成されている。なお、扉２の室内側壁面２ｂおよび室外側壁面２ｃには、シリンダ取付開口１３およびハンドル取付開口１４に対応する位置に、それぞれ、壁側開口（図示せず）が形成されている。
【００２７】
ボルト機構１１は、デッドボルト１５と、電動アクチュエータ１６と、動力伝達機構１７と、駆動制御回路１８と、を含んで構成されている。
【００２８】
デッドボルト１５は、木口２ａ側から進退可能に設けられている。電気的な駆動源としての電動アクチュエータ１６は、例えば、電動モータやソレノイド等によって構成されている。電動アクチュエータ１６は、木口２ａ側でデッドボルト１５を進退させる。動力伝達機構１７は、電動アクチュエータ１６の動力をデッドボルト１５に伝達すると共に、シリンダユニット５等からの施解錠動作をデッドボルト１５に伝達する。駆動制御回路１８は、電動アクチュエータ１６の駆動を制御する。また、駆動制御回路１８は、デッドボルト１５が木口２ａ側から突出しているか否かを検知するボルトセンサ（図示せず）を有している。
【００２９】
また、動力伝達機構１７は、室内側レバーハンドル７および室外側レバーハンドル８の動作をデッドボルト１５に伝達する。デッドボルト１５は、解錠時に室内側レバーハンドル７または室外側レバーハンドル８を回動操作することで錠ケース１０内に引き込まれる。これにより、扉２の開放が可能となる。なお、扉２を閉めると自動的にデッドボルト１５が突出するようになっている。
【００３０】
電装ユニット４は、扉２の室内側壁面２ｂ側に取り付けられている。電装ユニット４は、室内側ケース２０と、電源装置２１と、サムターン２２と、を含んで構成されている。
【００３１】
室内側ケース２０は、合成樹脂等の絶縁材料によって上下方向に細長い略矩形箱状に形成されている。
【００３２】
電源装置２１は、複数の電池２３（乾電池）を保持する電池ボックス２４を有している。電池ボックス２４は、室内側ケース２０の内部上側に固定され、例えば、４本の円筒型の電池２３を上下方向に並べて保持している。電池ボックス２４の左右両端部には、各電池２３の電極に接触する電源端子（図示せず）が設けられている。各電源端子は、適正な電気回路を形成し、室内側コネクタ２５に電気的に接続されている。
【００３３】
第１の相手側コネクタとしての室内側コネクタ２５は、所謂フローティングコネクタであって、電池ボックス２４の下側に設けられるコネクタベース２６に支持されている。室内側コネクタ２５は、コネクタベース２６の上面に固定された固定ハウジング２５ａと、固定ハウジング２５ａに対して移動可能な可動ハウジング２５ｂと、両ハウジング２５ａ，２５ｂの間に架設される複数の相手側端子２５ｃと、を有している。固定ハウジング２５ａおよび可動ハウジング２５ｂは、樹脂等の絶縁性材料で形成され、各相手側端子２５ｃは、金属等の導電性材料で形成されている。
【００３４】
なお、室内側コネクタ２５は、電源装置２１に接続されていたが、これに限定されない。例えば、室内側コネクタ２５は、電源装置２１に代えて（または電源装置２１に加えて）、入退室管理のためのリーダ、各種センサ、テンキー等の基板に接続されていてもよい。
【００３５】
サムターン２２は、室内側ケース２０の下部に設けられ、室内側からユーザによって施解錠（回動）操作される。サムターン２２は、室内側から室外側に向けて延びる回転軸２７を有している。回転軸２７は、室内側からシリンダユニット５に連結される。
【００３６】
シリンダユニット５は、扉２の室外側壁面２ｃ側から室内側壁面２ｂ側に向けて錠ケース１０に挿設され、ボルト機構１１を動作させて施解錠を行うために設けられている。シリンダユニット５は、外側筒部３０と、内側筒部３１と、鍵穴部３２と、ダルマ部３３と、リーダ３４と、電子回路基板３５と、を含んで構成されている。
【００３７】
外側筒部３０は、室外側壁面２ｃに設けられる外装部４０と、外装部４０の内部から後方に延設される本体筒部４１と、本体筒部４１を覆う本体カバー４２と、を有している。
【００３８】
外装部４０は、前方に向けて縮径する円錐台状に形成されている。図３に示すように、本体筒部４１は、略直方体状のブロック部４１ａと、ブロック部４１ａの下側中央から下方に突出する略半円筒状の円筒部４１ｂと、によって一体形成されている。ブロック部４１ａの左右両側面には、雌ネジ部４３が穿設されている。本体カバー４２は、略円筒状に形成されている。本体カバー４２で覆われた本体筒部４１は、錠ケース１０のシリンダ取付開口１３に嵌合する外径を有している（図１参照）。
【００３９】
内側筒部３１は、略円筒状に形成され、円筒部４１ｂの内部に設けられている。内側筒部３１の左右両側面は、各雌ネジ部４３の底面を構成している。
【００４０】
図１および図２に示すように、鍵穴部３２は、内側筒部３１の前側内部に回転可能に支持されている。鍵穴部３２の前端面は、室外に露出して外装部４０の先端面と略面一に形成されている。鍵穴部３２の前端面には、機械的キー（図示せず）が挿入される鍵穴４４が開口している。鍵穴部３２の後端面には、テールピース４５が設けられている。
【００４１】
ダルマ部３３は、内側筒部３１の後側内部に回転可能に支持され、ダルマ部３３の軸心部には、室外側からテールピース４５が嵌挿されている（図３参照）。また、ダルマ部３３の軸心部には、室内側からサムターン２２の回転軸２７が嵌合するようになっている。ダルマ部３３の下部には、径方向に延出する作動凸部４６が一体形成されている。作動凸部４６は、円筒部４１ｂおよび内側筒部３１の下部に形成される作動溝４７から下方に露出している（図３参照）。これにより、作動凸部４６は、シリンダユニット５を電気錠３に取り付けた状態で動力伝達機構１７に係合する。
【００４２】
ここで、手動による電気錠３の施解錠について説明する。室内でユーザがサムターン２２を所定方向に回動させると、回転軸２７を介してダルマ部３３が回動する。そして、ダルマ部３３と共に回動する作動凸部４６が動力伝達機構１７を作動させ、デッドボルト１５が進退する。同様に、室外でユーザが鍵穴４４に挿し込んだ機械的キーを所定方向に回動させると、テールピース４５を介してダルマ部３３が回動する。そして、ダルマ部３３と共に回動する作動凸部４６が動力伝達機構１７を作動させ、デッドボルト１５が進退する。
【００４３】
次に、図１および図２に示すように、シリンダ側電装部材としてのリーダ３４は、室外側壁面２ｃ側となる外装部４０の上側内部に設けられている。リーダ３４は、電気錠３の施解錠に関する入力を受ける。具体的には、リーダ３４は、例えば、非接触型のＩＣカード９に記憶された認証情報を読み取るためのアンテナ等を有している。なお、リーダ３４に代えて、タッチキー、テンキーまたは指紋等の生体認証装置等をシリンダ側電装部材として用いてもよい。なお、ＩＣカード９に代えて、キーヘッドやタグに認証情報を記憶してもよい。
【００４４】
電子回路基板３５は、平面視で矩形板状に形成され、本体筒部４１と本体カバー４２との間に配設されている。詳細には、電子回路基板３５は、外側筒部３０のブロック部４１ａの上面に立設する左右一対の基板支持部４１ｃ（図３参照）に支持され、錠ケース１０のシリンダ取付開口１３に挿設されている。電子回路基板３５は、リーダ３４に電気的に接続され、リーダ３４に対する操作に基づいてボルト機構１１を動作させる。
【００４５】
電子回路基板３５上には、第１基板側コネクタ５０と、第２基板側コネクタ５１と、が実装されている。
【００４６】
第１のコネクタとしての第１基板側コネクタ５０は、樹脂製の第１ハウジング５０ａ内に並設される金属製の複数の第１端子５０ｂを有している（図２参照）。第１基板側コネクタ５０は、シリンダユニット５を錠ケース１０に挿設させた状態で、電子回路基板３５の室内側壁面２ｂ側（後側）に配設されている。
【００４７】
第２のコネクタとしての第２基板側コネクタ５１は、樹脂製のコネクタ基板５１ａ上に並設される金属製の複数の第２端子５１ｂを有している（図１参照）。第２基板側コネクタ５１には、複数の第２端子５１ｂを挟むように前後一対の位置決め孔５１ｃが凹設されている。第２基板側コネクタ５１は、電子回路基板３５の木口２ａ側に配設されている（図３参照）。
【００４８】
図３に示すように、シリンダ取付装置６は、シリンダユニット５の物理的（機械的）な固定と電気的な接続とを行うために錠ケース１０の内部に設けられている。シリンダ取付装置６は、装着部材６０と、接続部材６１と、解除付勢部材６２と、を含んで構成されている。
【００４９】
装着部材６０は、例えば、鉄等の金属材料によって略棒状に形成され、電気錠３の取付板１２と錠ケース１０内に配設される支持ブロック６３とによって支持されている。装着部材６０は、操作部７０と、ネジ部７１と、摺動軸部７２と、を含み一体形成されている。操作部７０、ネジ部７１および摺動軸部７２は、それぞれ、円形断面を有し、同一軸心上に連設されている。
【００５０】
操作部７０は、取付板１２に形成される貫通孔１２ａを挿通している。操作部７０は、軸方向に摺動可能かつ軸周りに回転可能な状態で取付板１２に支持されている。操作部７０の一部（図３の左側）は、取付板１２から外部に露出している。操作部７０の外端面には、プラスドライバ（図示せず）の先端部が嵌合する十字溝Ｄが凹設されている（図１参照）。操作部７０の内端部（右端部）には、貫通孔１２ａよりも大径となる操作側フランジ部７０ａが設けられている。
【００５１】
ネジ部７１は、支持ブロック６３に形成される貫通孔６３ａを挿通している。ネジ部７１は、軸方向に摺動可能かつ軸周りに回転可能な状態で支持ブロック６３に支持されている。ネジ部７１の先端部（右端部）には、雄ネジ（図示せず）が形成され、ブロック部４１ａに形成される雌ネジ部４３に螺合する。ネジ部７１の基端部（左端部）には、貫通孔６３ａよりも大径となるネジ側フランジ部７３ａが設けられている。
【００５２】
摺動軸部７２は、操作側フランジ部７０ａとネジ側フランジ部７３ａとを連結するように設けられている。
【００５３】
接続部材６１は、接続フレーム８０と、コネクタホルダー８１と、ケース内コネクタ８２と、を有している。
【００５４】
接続フレーム８０は、背面視で略Ｌ字状に形成され、上側から摺動軸部７２に跨る摺動支持部８０ａを有している。摺動支持部８０ａは、摺動軸部７２に沿って左右方向に移動可能、且つ、摺動軸部７２の回転を許容するように係合している。接続フレーム８０の右端部下面は、支持ブロック６３の上面に摺接している。
【００５５】
コネクタホルダー８１は、平面視で略矩形環状に形成されている。コネクタホルダー８１の左側壁は、接続フレーム８０の先端部（右端部）に左右方向に移動可能に支持されている。コネクタホルダー８１の内側には、付勢部材８３（コイルスプリング）が設けられている。付勢部材８３は、接続フレーム８０の先端面を台座としてコネクタホルダー８１を右方向に付勢している。
【００５６】
第２の相手側コネクタとしてのケース内コネクタ８２は、中継基板８２ａに実装される所謂コンプレッション型のコネクタであって、樹脂製の端子保持部８２ｂ内に並設される金属製の複数の接触端子８２ｃを有している。端子保持部８２ｂには、複数の接触端子８２ｃを挟むように前後一対の位置決め突起８２ｄが凸設されている。ケース内コネクタ８２は、中継基板８２ａを介してコネクタホルダー８１の先端面（右側外端面）に固定されている。ケース内コネクタ８２（中継基板８２ａ）は、電気錠３内の駆動制御回路１８を介して電動アクチュエータ１６に電気的に接続されている。
【００５７】
解除付勢部材６２は、所謂コイルスプリングで構成され、ネジ部７１に巻回するように設けられている。解除付勢部材６２は、支持ブロック６３と操作側フランジ部７０ａとの間に圧縮された状態で配設されている。
【００５８】
次に、図３および図４を参照して、電気錠システム１の取り付け手順について説明する。ここで、図４は電気錠システム１のシリンダユニット５およびシリンダ取付装置６を模式的に示す背面図であって、取付作業が完了した状態を示している。
【００５９】
まず、作業者は、電気錠３を木口２ａから扉２の内部に挿入し、取付板１２を木口２ａにネジ留めする（図２参照）。これにより、電気錠３は、扉２内に取り付けられる。このとき、取付板１２は、木口２ａと略同一平面上に固定される（図３参照）。
【００６０】
次に、作業者は、シリンダユニット５を扉２の室外側壁面２ｃ側から錠ケース１０のシリンダ取付開口１３に挿し込む（図２参照）。外装部４０が室外側壁面２ｃに当接することで、シリンダユニット５の挿入が規制される。シリンダユニット５は、錠ケース１０（シリンダ取付開口１３）に挿設された状態となる。ダルマ部３３や第１基板側コネクタ５０等は、室内側壁面２ｂ側のシリンダ取付開口１３に表出している。詳細には、ダルマ部３３や第１基板側コネクタ５０等は、室内側壁面２ｂ側のシリンダ取付開口１３の内側近傍に位置している（図２参照）。第２基板側コネクタ５１は、シリンダユニット５が錠ケース１０に挿設された状態で、錠ケース１０内に位置している。なお、シリンダユニット５は、錠ケース１０を貫通してもよい。この場合、ダルマ部３３や第１基板側コネクタ５０等は、シリンダ取付開口１３から室内側壁面２ｂ側に突出していてもよい。
【００６１】
次に、作業者は、シリンダ取付装置６を用いて、電気錠３に対するシリンダユニット５の物理的な固定作業と電気的な接続作業と（以下、「取付作業」と呼ぶ。）を実行する。上記した装着部材６０は、シリンダユニット５を電気錠３に固定する固定位置Ｐ２と、電気錠３に対するシリンダユニット５の固定を解除する解除位置Ｐ１と、の間で移動可能に設けられている。図３に示すように、取付作業前の状態では、装着部材６０は、解除位置Ｐ１に位置しており、操作部７０は、解除付勢部材６２に付勢されて取付板１２から突出している。操作側フランジ部７０ａは、取付板１２の内面に当接し、ネジ側フランジ部７３ａは、接続部材６１の摺動支持部８０ａの右端面に当接している。
【００６２】
まず、作業者は、解除位置Ｐ１にある装着部材６０の操作部７０の十字溝Ｄにプラスドライバの先端部を嵌め、解除付勢部材６２の付勢力に抗して操作部７０を扉２の吊元側（右方向）に向けて押し込む。装着部材６０は、取付板１２の貫通孔１２ａおよび支持ブロック６３の貫通孔６３ａにガイドされて右方向にスライドする。装着部材６０のネジ部７１の先端部は、シリンダユニット５の雌ネジ部４３の周縁部に当接する。一方、接続部材６１は、装着部材６０の摺動軸部７２上を相対的に左方向にスライドし、摺動支持部８０ａは、操作側フランジ部７０ａに当接する。
【００６３】
次に、作業者は、プラスドライバによって装着部材６０を所定方向（例えば、時計回り）に回転させて、ネジ部７１の先端部を雌ネジ部４３に螺合させる。当該螺合の進行によって、装着部材６０および接続部材６１は、共に右方向に移動する。ネジ部７１の先端部が内側筒部３１の左側面に当接することで、当該螺合の進行が規制される。このとき、図４に示すように、装着部材６０は、固定位置Ｐ２に移動した状態となる。一方、接続部材６１の接続フレーム８０は、コネクタホルダー８１内の付勢部材８３圧縮し、付勢部材８３は、ケース内コネクタ８２を第２基板側コネクタ５１に向けて付勢する。ケース内コネクタ８２は、各位置決め孔５１ｃに進入する各位置決め突起８２ｄにガイドされて第２基板側コネクタ５１に電気的に接続する。すなわち、ケース内コネクタ８２の各接触端子８２ｃは、第２基板側コネクタ５１の第２端子５１ｂに圧接される。これにより、導通状態が適切に維持される。
【００６４】
以上によって、電気錠３に対するシリンダユニット５の取付作業が完了する。なお、操作部７０は、固定位置Ｐ２にある場合に取付板１２と面一になる。
【００６５】
次に、図２に示すように、作業者は、電装ユニット４を扉２の室内側壁面２ｂ側から電気錠３に取り付ける。詳細には、作業者は、サムターン２２の回転軸２７をシリンダユニット５のダルマ部３３に連結させる。略同時に、作業者は、室内側コネクタ２５（可動ハウジング２５ｂ）を第１基板側コネクタ５０（第１ハウジング５０ａ）に嵌合させる。これにより、各相手側端子２５ｃと各第１端子５０ｂとが接触する。
【００６６】
上記したように、第１基板側コネクタ５０は、室内側壁面２ｂ側に位置しているため、室内側コネクタ２５は、第１基板側コネクタ５０に室内側から電気的に接続される。なお、室内側コネクタ２５と第１基板側コネクタ５０とが互いに位置ずれしている場合、各コネクタ２５，５０の接続過程において、可動ハウジング２５ｂは、各相手側端子２５ｃの弾性によって位置ずれを吸収するように移動する。このため、位置ずれがあったとしても、各コネクタ２５，５０同士の適切な導通接続を行うことができる。なお、電装ユニット４（室内側ケース２０）は、ネジ等によって扉２の室内側壁面２ｂに固定される。
【００６７】
次に、作業者は、室内側レバーハンドル７および室外側レバーハンドル８を、それぞれ、錠ケース１０のハンドル取付開口１４に挿し込んで、その台座部分を扉２の各壁面に取り付ける（図１参照）。
【００６８】
以上によって、電装ユニット４とシリンダユニット５とは、扉２を挟み込むように取り付けられる（図２参照）。つまり、電気錠システム１の取り付けが完了する。電源装置２１（電池２３）は、各コネクタ２５，５０，５１，８２を介して、シリンダユニット５のリーダ３４や電子回路基板３５、ボルト機構１１の電動アクチュエータ１６や駆動制御回路１８等に電力を供給する。
【００６９】
なお、以上説明した電気錠システム１の取り付け手順の逆工程を実行することによって電気錠システム１を扉２から取り外すことができる。すなわち、接続部材６１は、装着部材６０を固定位置Ｐ２に移動した場合に、各コネクタ５１，８２同士を導通接続させ、装着部材６０を解除位置Ｐ１に移動した場合に、各コネクタ５１，８２同士の接続を解除する。また、解除付勢部材６２は、螺合を解除した装着部材６０を自動的に固定位置Ｐ２から解除位置Ｐ１に移動させる。
【００７０】
次に、電気錠システム１の解錠動作について簡単に説明する。室外側から入室しようとする者（ユーザ）は、ＩＣカード９をリーダ３４にかざす（図２参照）。リーダ３４は、ＩＣカード９から読み取った認証情報を電子回路基板３５に送信する。電子回路基板３５は、読み取った認証情報と特定の認証情報とを比較、判別する。この結果、各認証情報が合致すると判別された場合、電子回路基板３５から各コネクタ５１，８２を介して電気錠３の駆動制御回路１８に解錠信号が出力され、電動アクチュエータ１６の駆動によって電気錠３が解錠される。一方、合致せずと判別された場合には、電子回路基板３５からの解錠信号が送信されず、電気錠３の解錠は行われない。なお、施解錠に必要な特定の認証情報は、電子回路基板３５上に実装される記憶装置（図示せず）に予め記憶されている。
【００７１】
以上説明した第１実施形態に係る電気錠システム１によれば、シリンダユニット５は、室内側壁面２ｂ側となる電装ユニット４側に向かって錠ケース１０に挿設されている（略貫通している）。この状態で、シリンダユニット５に設けられる第１基板側コネクタ５０は、電装ユニット４側に位置している。このため、第１基板側コネクタ５０を室内側壁面２ｂから外部に引き出す必要がなく、作業者は、第１基板側コネクタ５０を電装ユニット４に設けられる室内側コネクタ２５に容易に接続することができる。つまり、シリンダユニット５や電装ユニット４の取り付けに係る作業性を向上させることができる。
【００７２】
また、電装ユニット４とシリンダユニット５との電気的な接続（結線）にケーブル等を使用しないため、例えば、結線後に余剰となるケーブルを収容するスペースを、錠ケース１０（扉２）内に確保する必要がない。このため、錠ケース１０の大型化を防止することができる。したがって、扉２に加工を行うことなく、既存の機械式の錠ケースを電気錠システム１に対応した錠ケース１０に交換することができる。これにより、既存の扉２に対し、簡単且つ安価に電気錠システム１を構築することができる。
【００７３】
また、第１実施形態に係る電気錠システム１によれば、第１基板側コネクタ５０は電子回路基板３５上に実装されているため、結線作業（電気的な接続作業）において第１基板側コネクタ５０を扉２外に引き出す工程および押し込む工程を省略することができる。詳細には、電装ユニット４を電気錠３（錠ケース１０）に取り付けることで、サムターン２２がシリンダユニット５に連結されると共に、室内側コネクタ２５が第１基板側コネクタ５０に結線（電気的に接続）される。つまり、サムターン２２の連結作業と、各コネクタ２５，５０の結線作業と、を１つの工程で容易に行うことができる。また、第１基板側コネクタ５０を電子回路基板３５上に実装することでシリンダユニット５をコンパクトに構成することができる。
【００７４】
また、第１実施形態に係る電気錠システム１によれば、電動アクチュエータ１６は、錠ケース１０に内設されているため、シリンダユニットおよび電装ユニットを電動アクチュエータを除く簡素な構成にすることができる。
【００７５】
（第２実施形態）
次に、図５を参照して、第２実施形態に係る電気錠システム９０について説明する。図５は電気錠システム９０を模式的に示す側面図である。なお、上記した第１実施形態に係る電気錠システム１と同様の構成については、同一の符号を付し、説明を省略する。
【００７６】
上記した第１実施形態では、第１基板側コネクタ５０を電子回路基板３５上に実装していたが、第２実施形態に係る電気錠システム９０の第１基板側コネクタ９１は、ケーブル９２の先端部に接続されてケーブルハーネス９３を構成している。
【００７７】
シリンダユニット５は、電子回路基板３５に電気的に接続され、錠ケース１０に挿設されるケーブル９２を有している。ケーブル９２は、例えば、シールド電線等であって、その基端部を電子回路基板３５に接続している。
【００７８】
第１基板側コネクタ９１は、ケーブル９２の先端部に接続され、外側筒部３０の本体筒部４１上に固定されている。第１基板側コネクタ９１は、室内側壁面２ｂ側のシリンダ取付開口１３に表出している。なお、第２実施形態に係る電気錠システム９０の取り付け手順や第１基板側コネクタ９１の構造は、第１実施形態に係るものと同様であるため、詳細な説明は省略する。
【００７９】
以上説明した第２実施形態に係る電気錠システム９０によれば、第１実施形態に係る電気錠システム１と同様の作用・効果を得ることができる。
【００８０】
なお、第１基板側コネクタ９１は、外側筒部３０の本体筒部４１上に固定されていなくてもよい。例えば、図６に示すように、第１基板側コネクタ９１を扉２の外部に引き出すことができるように構成してもよい。この構成によれば、第１基板側コネクタ９１が室内側壁面２ｂ側に位置しているため、ケーブルハーネス９３の引き出し量を小さくすることができる。つまり、ケーブル９２の長さを最小限に抑えることができ、結線後に余剰となるケーブル９２を削減することができる。これにより、余剰のケーブル９２を錠ケース１０（扉２）や電装ユニット４の内部に押し込む作業を省略することができる。
【００８１】
（第３実施形態）
次に、図７を参照して、第３実施形態に係る電気錠システム１００について説明する。図７は電気錠システム１００を模式的に示す側面図である。なお、上記した第１実施形態に係る電気錠システム１と同様の構成については、同一の符号を付し、説明を省略する。
【００８２】
上記した第１実施形態では、電動アクチュエータ１６および駆動制御回路１８を錠ケース１０内に設けたが、第３実施形態に係る電気錠システム１００では、電動アクチュエータ１６および駆動制御回路１８が電装ユニット４（室内側ケース２０）に内設されている。この場合、第２基板側コネクタ５１やケース内コネクタ８２（接続部材６１）等を省略することができる。
【００８３】
電源装置２１（電池ボックス２４）は、電動アクチュエータ１６および駆動制御回路１８に接続され、必要な電力を供給する。電子回路基板３５は、各コネクタ２５，５０を介して駆動制御回路１８に解錠信号を出力し、駆動制御回路１８は、電動アクチュエータ１６を駆動する。電動アクチュエータ１６がサムターン２２の回転軸２７を回転駆動することによって、電気錠３の施解錠が行われる。
【００８４】
以上説明した第３実施形態に係る電気錠システム１００によれば、第１実施形態に係る電気錠システム１と同様の作用・効果を得ることができる。また、電気錠システム１００に対応した錠ケース１０は、既存の機械式の錠ケースを構成する部品を多数流用することができる。これにより、安価に電気錠システム１００を構築することができる。
【００８５】
なお、図示は省略するが、電動アクチュエータ１６および駆動制御回路１８は、シリンダユニット５に内蔵されてもよい。この場合、電動アクチュエータ１６がダルマ部３３を回転駆動することによって、電気錠３の施解錠が行われる。また、第３実施形態に係る電気錠システム１００に、第２実施形態に係る電気錠システム９０を適用してもよい。
【００８６】
なお、第１ないし第３実施形態（変形例を含む（以下同じ））に係る電気錠システム１，９０，１００は、室内側コネクタ２５をコネクタベース２６に固定していたが、本発明はこれに限定されない。例えば、図８に示すように、室内側コネクタ２５が、ケーブルの先端部に接続されてケーブルハーネスを構成してもよい。この場合、第１基板側コネクタ５０が室内側壁面２ｂ側に位置しているため、当該ケーブルの長さを最小限に抑えることができる。これにより、余剰となるケーブルを削減することができ、余剰のケーブルを扉２内や電装ユニット４内に押し込む作業を省略することができる。つまり、電装ユニット４の取り付けに係る作業性を向上させることができる。
【００８７】
なお、第１ないし第３実施形態に係る電気錠システム１，９０，１００は、室内側コネクタ２５としてフローティングコネクタを採用し、第１基板側コネクタ５０として一般的なコネクタを採用したが、本発明はこれに限定されない。第１基板側コネクタ５０としてフローティングコネクタを採用し、室内側コネクタ２５として一般的なコネクタを採用してもよい。また、両コネクタ２５，５０を一般的なコネクタとしてもよい。
【００８８】
なお、第１ないし第３実施形態に係る電気錠システム１，９０，１００のシリンダユニット５は、室外側に設けられていたが、室内側に設けられていてもよい。
【００８９】
なお、第１ないし第３実施形態に係る電気錠システム１，９０，１００では、第１基板側コネクタ５０，９１は、電子回路基板３５に実装または接続されていたが、本発明はこれに限定されない。例えば、第１基板側コネクタ５０，９１は、電子回路基板３５から分離して設けられていてもよいし、単なる電力中継のために用いられてもよい。
【００９０】
なお、上記した本発明の実施形態の説明は、本発明に係る電気錠システムにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００９１】
１，９０，１００  電気錠システム
２  扉
２ａ  木口
２ｂ  室内側壁面（他方の壁面）
２ｃ  室外側壁面（一方の壁面）
４  電装ユニット
５  シリンダユニット
１１  ボルト機構
１５  デッドボルト
１６  電動アクチュエータ（駆動源）
２１  電源装置
２５  室内側コネクタ（第１の相手側コネクタ）
３４  リーダ（シリンダ側電装部材）
３５  電子回路基板
５０，９１  第１基板側コネクタ（第１のコネクタ）
５１  第２基板側コネクタ（第２のコネクタ）
８２  ケース内コネクタ（第２の相手側コネクタ）
９２  ケーブル
９３  ケーブルハーネス
【図１】
2015183416.tif 000003
【図２】
2015183416.tif 000004
【図３】
2015183416.tif 000005
【図４】
2015183416.tif 000006
【図５】
2015183416.tif 000007
【図６】
2015183416.tif 000008
【図７】
2015183416.tif 000009
【図８】
2015183416.tif 000010